(57)【要約】【課題】放電生成物による像担持体への影響を極力低減させながらも早期に安定した帯電電位に復帰できる画像形成装置の帯電装置を提供する。【解決手段】像担持体２に接触配置または近接配置され前記像担持体２を帯電処理する帯電部材３と、前記帯電部材３に印加され直流電圧と交流電圧が重畳された振動電圧を生成する高圧発生回路４と、前記振動電圧を制御する電圧制御手段５とを備えて構成される画像形成装置の帯電装置１であって、前記電圧制御手段５は前記交流電圧のピーク間電圧を前記像担持体２の画像形成区間より非画像形成区間で低くなるように制御する。【選択図】図１
2007199372.tif 000002
【特許請求の範囲】
【請求項１】
像担持体に接触配置または近接配置され前記像担持体を帯電処理する帯電部材と、前記帯電部材に印加され直流電圧と交流電圧が重畳された振動電圧を生成する高圧発生回路と、前記振動電圧を制御する電圧制御手段とを備えて構成される画像形成装置の帯電装置であって、前記電圧制御手段は前記交流電圧のピーク間電圧を前記像担持体の画像形成区間より非画像形成区間で低くなるように制御する画像形成装置の帯電装置。
【請求項２】
前記ピーク間電圧値と前記帯電部材と前記像担持体間の直流電流値との関係を表す二次元座標上の想定特性曲線に対して、前記ピーク間電圧値を昇圧したときに現れる変曲点の電圧値を基準電圧値として、前記電圧制御手段は前記交流電圧のピーク間電圧を前記画像形成区間において前記基準電圧値以上に制御するとともに、前記非画像形成区間において前記基準電圧値より低圧に制御する請求項１記載の画像形成装置の帯電装置。
【請求項３】
前記電圧制御手段は前記直流電圧を前記像担持体の画像形成区間より非画像形成区間で高くなるように制御する請求項１または２記載の画像形成装置の帯電装置。
【請求項４】
前記帯電部材の環境温度、環境湿度若しくは累積使用時間、または、それらの何れかの組合せからなる環境値とそのときの前記交流電圧の適正ピーク間電圧値を対応付けた環境特性テーブルと、前記帯電部材の環境温度、環境湿度または累積使用時間を計測する環境計測手段を備え、前記電圧制御手段は前記画像形成区間における前記ピーク間電圧を、前記環境計測手段により計測された環境値に基づいて前記環境特性テーブルから取得した適性ピーク間電圧値となるように制御する請求項１から３の何れかに記載の画像形成装置の帯電装置。
【請求項５】
前記帯電部材と前記像担持体間を流れる電流値を計測する電流検出手段を備え、前記電圧制御手段は前記電流検出手段による検出電流値に基づいて前記画像形成区間における前記振動電圧を制御する請求項１から４の何れかに記載の画像形成装置の帯電装置。
【発明の詳細な説明】
【技術分野】
【０００１】
本発明は、像担持体に接触配置または近接配置され前記像担持体を帯電処理する帯電部材と、前記帯電部材に印加され直流電圧と交流電圧が重畳された振動電圧を生成する高圧発生回路と、前記振動電圧を制御する電圧制御手段とを備えて構成される画像形成装置の帯電装置に関する。
【背景技術】
【０００２】
近年、低圧プロセス、低オゾン発生量、低コスト等の点から、ローラ型或いはブレード型等の帯電部材を像担持体の表面に接触配置または近接配置し、前記帯電部材に直流電圧と交流電圧が重畳された振動電圧を印加することにより像担持体表面を均一に帯電させる接触帯電方式が主流となりつつある。ここに、振動電圧は正弦波に限らず、矩形波、三角波、パルス波等周期的に変化する任意の振動波形であればよい。
【０００３】
このような接触帯電方式を採用する帯電装置として、特許文献１には、振動電圧のうち交流電圧のピーク間電圧を昇圧させると前記像担持体の帯電電位がそれに比例して上昇し、前記ピーク間電圧が直流電圧による帯電開始電圧の約２倍に達すると帯電電位が飽和し、それ以上に昇圧しても帯電電位が変わらないこと、帯電の均一性を確保するためには像担持体の諸特性等によって決定される直流電圧印加時の帯電開始電圧の２倍以上のピーク間電圧を有する振動電圧を印加する必要があり、そのとき得られる帯電電位は印加電圧の直流成分に依存することが開示されている。
【０００４】
しかし、上述の振動電圧の印加により像担持体に安定した帯電状態が得られても、必要以上のピーク間電圧を印加するときには活発に放電或いは逆放電が行なわれるため、放電生成物が像担持体表面に付着して表面の滑り具合が悪くなり、クリーニングブレード等による像担持体表面の摩耗が進み寿命が短くなるばかりか、摩擦係数が上昇して駆動系への負荷が増大してジッタ画像が発生し易くなるという問題や、部分的な削れや傷が発生し易く、このような削れや傷の発生した部分ではインピーダンスが低下して均一に帯電させることが難しくなるという問題があり、特にＯＰＣ（有機半導体）ドラムでは樹脂の磨耗による劣化の促進が問題となっていた。
【０００５】
また、像担持体表面に付着した放電生成物は、水分を吸着することで表面抵抗を低下させ、露光による潜像パターンを保持できずに、いわゆる像流れが発生するという問題もあった。
【０００６】
そこで、これらの問題に対応して、特許文献２及び特許文献３には、像担持体の画像領域では帯電部材に直流電圧に交流電圧を重畳した電圧を印加し、それ以外の領域では直流電圧のみを印加する旨の技術が提案されている。
【０００７】
【特許文献１】特開昭６３−１４９６６８号公報
【特許文献２】特開平８−１９０２５２号公報
【特許文献３】特開２００４−１８４８７６号公報
【発明の開示】
【発明が解決しようとする課題】
【０００８】
しかし、上述した特許文献２または特許文献３に記載された技術を、感光層内に光キャリアがトラップされやすい特徴を持つ感光体、特にアモルファスシリコンを用いた像担持体に適用した場合においては、画像形成を行なう迄に表面の帯電を安定させるためにある程度の時間を要するものであるため、非画像領域で交流電圧を完全にオフすると、紙間が短い場合に対応できず、また、ファーストプリント時間が長くなるという問題があり、中間転写方式のタンデムカラー機でファーストプリント時間を短くするために、一色目の画像形成が用紙への転写に先行して行われるような場合には、印字開始命令直後に像担持体が安定した帯電状態となっている必要があるという観点でさらなる改良の余地があった。
【０００９】
本発明の目的は、上述した従来の問題点に鑑み、放電生成物による像担持体への影響を極力低減させながらも早期に安定した帯電電位に復帰できる画像形成装置の帯電装置を提供する点にある。
【課題を解決するための手段】
【００１０】
上述の目的を達成するため、本発明による画像形成装置の帯電装置の第一の特徴構成は、特許請求の範囲の書類の請求項１に記載した通り、像担持体に接触配置または近接配置され前記像担持体を帯電処理する帯電部材と、前記帯電部材に印加され直流電圧と交流電圧が重畳された振動電圧を生成する高圧発生回路と、前記振動電圧を制御する電圧制御手段とを備えて構成される画像形成装置の帯電装置であって、前記電圧制御手段は前記交流電圧のピーク間電圧を前記像担持体の画像形成区間より非画像形成区間で低くなるように制御する点にある。
【００１１】
前記像担持体の帯電電位は、前記帯電部材に印加する前記振動電圧の前記直流電圧Ｖｄｃと前記交流電圧の前記ピーク間電圧Ｖｐｐにより制御され、前記ピーク間電圧Ｖｐｐを所定レベルに上昇させることにより前記帯電電位の均一性が確保されるが、前記ピーク間電圧Ｖｐｐが大きくなるにつれて前記放電生成物が多く発生する。上述の構成によれば、前記電圧制御手段は、前記像担持体の前記画像形成区間よりも前記非画像形成区間で前記ピーク間電圧Ｖｐｐを低くなるように制御するため、紙間が短い場合であっても前記非画像形成区間で発生する前記放電生成物を効果的に抑制し、且つ、次の前記画像形成区間で前記ピーク間電圧Ｖｐｐを所定レベルに復帰させることで、ファーストプリント時間も短くできる。
【００１２】
同第二の特徴構成は、同請求項２に記載した通り、上述の第一特徴構成に加えて、前記ピーク間電圧値と前記帯電部材と前記像担持体間の直流電流値との関係を表す二次元座標上の想定特性曲線に対して、前記ピーク間電圧値を昇圧したときに現れる変曲点の電圧値を基準電圧値として、前記電圧制御手段は前記交流電圧のピーク間電圧を前記画像形成区間において前記基準電圧値以上に制御するとともに、前記非画像形成区間において前記基準電圧値より低圧に制御する点にある。
【００１３】
本発明者らは、前記高圧発生回路が前記帯電部材に印加する前記振動電圧により生じる前記帯電部材と前記像担持体間の前記直流電流値Ｉｄｃを計測したところ、図２に示すように、前記ピーク間電圧値Ｖｐｐを低レベルから次第に増加させると、前記直流電流値Ｉｄｃがほぼ一定の傾きで増加し、その後、前記一定の傾きよりも低い傾き或いは傾きゼロで推移すること、前記ピーク間電圧値Ｖｐｐを変化させたときの前記像担持体の前記帯電電位と前記直流電流値Ｉｄｃとが比例関係にあること、そして、このような傾きの変わるポイントを変曲点とすると前記ピーク間電圧値Ｖｐｐが前記変曲点の電圧値である前記基準電圧値より高圧側では前記帯電電位が安定することを確認したと同時に、前記基準電圧値より高圧側で前記像担持体に前記放電生成物が多く発生することを確認した。
【００１４】
つまり前記第二の特徴構成によると、前記電圧制御手段は、前記画像形成区間において前記ピーク間電圧値Ｖｐｐを前記基準電圧値以上に制御することで前記帯電電位の均一性を確保すると共に、前記非画像形成区間において前記ピーク間電圧値Ｖｐｐを前記基準電圧値より低圧に制御することで前記放電生成物の発生を低減させ得る。
【００１５】
同第三の特徴構成は、同請求項３に記載した通り、上述の第一または第二の特徴構成に加えて、前記電圧制御手段は前記直流電圧を前記像担持体の画像形成区間より非画像形成区間で高くなるように制御する点にある。
【００１６】
前記非画像形成区間において、前記ピーク間電圧Ｖｐｐを前記画像形成区間よりも低く設定することで前記像担持体の前記帯電電位が現像バイアス電圧またはそれ以下に低下すると、前記像担持体が現像され、予期しないトナーの消費を招くこととなり不都合が生じる。
【００１７】
本発明者らは種々の実験を通して、前記像担持体の前記帯電電位は、図３に示すように、前記振動電圧の交流電圧の前記ピーク間電圧値Ｖｐｐが同じレベルであっても前記直流電圧値Ｖｄｃによって変化し、また、前記直流電圧値Ｖｄｃが変化しても前記変曲点にはほぼ変化が無いことを確認した。
【００１８】
上述の構成によれば、前記像担持体の前記画像形成区間より前記非画像形成区間の前記ピーク間電圧Ｖｐｐを低く設定した時に、前記電圧制御手段が前記振動電圧の前記直流電圧Ｖｄｃを高くなるように制御することで、前記帯電電位を前記現像バイアス電圧より大きく保ち、かつ前記放電生成物の発生を増加させること無く、前記非画像形成区間における前記像担持体のトナーによる現像を防ぐことができる。
【００１９】
同第四の特徴構成は、同請求項４に記載した通り、上述の第一から第三の何れかの特徴構成に加えて、前記帯電部材の環境温度、環境湿度若しくは累積使用時間、または、それらの何れかの組合せからなる環境値とそのときの前記交流電圧の適正ピーク間電圧値を対応付けた環境特性テーブルと、前記帯電部材の環境温度、環境湿度または累積使用時間を計測する環境計測手段を備え、前記電圧制御手段は前記画像形成区間における前記ピーク間電圧を、前記環境計測手段により計測された環境値に基づいて前記環境特性テーブルから取得した適性ピーク間電圧値となるように制御する点にある。
【００２０】
本発明者らは様々な前記環境値に基づいて、前記高圧発生回路が前記帯電部材に印加する前記振動電圧により生じる前記帯電部材と前記像担持体間の前記直流電流値Ｉｄｃを計測したところ、図４に示すように、前記変曲点の電圧値である前記適正ピーク間電圧値Ｖｐｐ（Ｏ）は前記環境値により変化することを確認した。
【００２１】
そこで上述の構成によると、前記電圧制御手段は前記環境計測手段により計測された前記環境値に基づいて前記環境特性テーブルから取得した前記適正ピーク間電圧値Ｖｐｐ（Ｏ）に前記ピーク間電圧Ｖｐｐを制御するため、何れの環境値が計測された場合においても、前記画像形成区間における前記像担持体の前記帯電電位の均一性を確保することができる。
【００２２】
同第五の特徴構成は、同請求項５に記載した通り、上述の第一から第四の何れかの特徴構成に加えて、前記帯電部材と前記像担持体間を流れる電流値を計測する電流検出手段を備え、前記電圧制御手段は前記電流検出手段による検出電流値に基づいて前記画像形成区間における前記振動電圧を制御する点にある。
【００２３】
前記像担持体の前記帯電電位の均一性が確保されるには前記電圧制御手段により前記ピーク間電圧値Ｖｐｐが前記変曲点の電圧値以上に制御される必要があるが、様々な要因により前記変曲点は変動し前記変曲点の電圧値は一定値とはなりえず、前記ピーク間電圧値Ｖｐｐを固定値とすると、前記ピーク間電圧値Ｖｐｐが刻々と変化する前記変曲点の電圧値未満になる時に前記像担持体の前記帯電電位の均一性が確保されなくなる。
【００２４】
一方、本発明者らは種々の実験を通して、本前記帯電部材と前記像担持体間の電流値が所定レベル以上であるときには、前記像担持体の前記帯電電位の均一性が確保されることを確認した。
【００２５】
そこで上述の構成によると、前記画像形成区間において、前記電流検出手段により検出される検出電流値を所定レベル以上に保ち減少させないように前記電圧制御手段が前記振動電圧を制御することで、前記像担持体の前記帯電電位の均一性を確保することができる。
【発明の効果】
【００２６】
以上説明した通り、本発明によれば、放電生成物による像担持体への影響を極力低減させながらも早期に安定した表面電位に復帰できる画像形成装置の帯電装置を提供することができるようになった。
【発明を実施するための最良の形態】
【００２７】
以下、本発明による画像形成装置の帯電装置について説明する。図１に示すように、前記帯電装置１は、電子写真方式を採用する前記画像形成装置に組み込まれ、像担持体２に接触配置され前記像担持体１を帯電処理する帯電部材３と、前記帯電部材３に印加され直流電圧と交流電圧が重畳された振動電圧を生成する高圧発生回路４と、前記直流電圧Ｖｄｃと前記交流電圧のピーク間電圧値Ｖｐｐを制御する電圧制御手段５とを備えて構成されている。
【００２８】
前記像担持体２は、アルミニウム製シリンダの表面に正帯電性光導電体であるアモルファスシリコン層が蒸着された感光体を有する感光体ドラムからなり、図示しない駆動装置により中心支軸を中心に定速回転駆動されるように構成されている。
【００２９】
前記帯電部材３は、芯金３１に導電性のある弾性材料であるエピクロルヒドリンゴム層３２を被覆した帯電ローラ３により構成されている。
【００３０】
前記高圧発生回路４は、交流定電圧電源４１と直流定電圧電源４２で構成され、本発明における電流検出手段であり、前記帯電部材３と前記像担持体２間の電流の直流成分である直流電流値Ｉｄｃを検出する直流電流検出手段４３を備えて構成されている。
【００３１】
前記画像形成装置には温度センサ６１と、湿度センサ６２からなる前記環境計測手段６が備えられ、前記温度センサ６１により前記帯電部材の環境温度が検出され、前記湿度センサ６２により前記帯電部材の環境湿度が検出され、前記電圧制御手段５は前記環境計測手段６より前記環境温度と前記環境湿度を必要に応じて取得する。
【００３２】
前記画像形成装置の記憶部７には環境特性テーブル７１と、図示しない前記画像形成装置の制御部により計測された前記帯電部材３の累積使用時間７２が保存されており、前記環境特性テーブル７１では前記帯電部材３の前記環境温度・前記環境湿度・前記累積使用時間７２の組合せからなる環境値と、前記環境値における前記適正ピーク間電圧値Ｖｐｐ（Ｏ）が対応付けられている。
【００３３】
前記累積使用時間７２は、前記帯電部材３に前記振動電圧が印加された累積時間とするものだが、これに限定するものではなく、例えば、前記帯電部材３が前記画像形成装置に設置されてから現在に至るまでの期間であってもよい。
【００３４】
前記適正ピーク間電圧値Ｖｐｐ（Ｏ）について詳述すると、前記ピーク間電圧値Ｖｐｐと、前記帯電部材３と前記像担持体２間の前記直流電流値Ｉｄｃとの関係を表す二次元座標上の想定特性曲線に対して、前記ピーク間電圧値Ｖｐｐを昇圧したときに現れる変曲点の電圧値を基準電圧値として、前記環境値毎に検出した前記基準電圧値を、前記環境値毎の前記適正ピーク間電圧値Ｖｐｐ（Ｏ）としている。
【００３５】
前記電圧制御手段５は、前記環境計測手段６から取得した前記環境値に基づき前記環境特性テーブル７１を参照し、前記適正ピーク間電圧値Ｖｐｐ（Ｏ）を取得する。
【００３６】
前記像担持体２の前記画像形成区間において、前記電圧制御手段５は、前記ピーク間電圧Ｖｐｐが前記適正ピーク間電圧値Ｖｐｐ（Ｏ）となるように前記交流定電圧電源４１を制御する。前記非画像形成区間において、前記電圧制御手段５は、前記ピーク間電圧Ｖｐｐが前記適正ピーク間電圧値Ｖｐｐ（Ｏ）の０．９倍となるように前記交流定電圧電源４１を制御し、直流電圧値Ｖｄｃ（Ｕ）が前記画像形成区間における前記直流電圧値Ｖｄｃ（Ｂ）に５０［Ｖ］上乗せした値となるように前記直流定電圧電源４２を制御する。
【００３７】
同一の前記画像形成区間において、前記直流電流検出手段４３が検出する前記帯電部材３と前記像担持体２間の前記直流電流値Ｉｄｃに基づき、前記電圧制御手段５は前記直流電流値Ｉｄｃが減少しないように前記交流定電圧電源４１を制御し、前記ピーク間電圧値Ｖｐｐを前記適正ピーク間電圧値Ｖｐｐ（Ｏ）から最適なレベルに調整し直し、前記最適なレベルを新たな適正ピーク間電圧値Ｖｐｐ（Ｏ）とする。
【００３８】
以下に、前記画像形成装置における画像形成実行の手順について、図５に示すフローチャートを用いて説明する。
【００３９】
オペレータにより前記画像形成装置の図示しない操作部よりプリントスイッチが押下されると（Ｓ１）、前記電圧制御手段５は前記環境値を取得し（Ｓ２）、前記環境特性テーブル７１を参照し、前記適正ピーク電圧値Ｖｐｐ（Ｏ）を取得し（Ｓ３）、前記電圧制御手段５は、前記交流電圧電源４１と前記直流電圧電源４２を制御して前記高圧発生回路４より前記帯電部材３に［Ｖｄｃ（Ｂ）＋Ｖｐｐ（Ｏ）］の前記振動電圧を印加する（Ｓ４）。
【００４０】
前記電圧制御手段５は、前記直流電流計４３により前記直流電流値Ｉｄｃを取得し（Ｓ５）、前記直流電流値Ｉｄｃの減少を検知すると（Ｓ６）、前記適正ピーク間電圧値Ｖｐｐ（Ｏ）を調整し（Ｓ７）、改めて前記交流電圧電源４１と前記直流電圧電源４２を制御して前記高圧発生回路４より前記帯電部材３に［Ｖｄｃ（Ｂ）＋Ｖｐｐ（Ｏ）］の前記振動電圧を印加する（Ｓ４）。
【００４１】
画像形成処理が実行され（Ｓ８）、前記像担持体の非画像形成区間となるときに（Ｓ９）、前記電圧制御手段５は、前記交流電圧電源４１と前記直流電圧電源４２を制御して前記高圧発生回路４より前記帯電部材３に［Ｖｄｃ（Ｕ）＋Ｖｐｐ（Ｏ）×０．９］の前記振動電圧を印加する（Ｓ１０）。
【００４２】
与えられたプリントジョブが残っている場合は（Ｓ１１）、前記像担持体の画像形成区間において再び前記環境値を取得し（Ｓ２）、プリントジョブが全て処理されるまで（Ｓ１１）、上述の手順を繰り返す。
【００４３】
以下に、別実施形態を説明する。
【００４４】
上述の構成では、前記像担持体２として、アルミニウム製シリンダの表面に正帯電性光導電体であるアモルファスシリコン層が蒸着された感光体を有する感光体ドラムを採用したが、前記感光体が有機光導電体であるＯＰＣドラムや、前記感光体がセレンなどであるその他の種類の光導電性半導体ドラムを採用する構成であっても良く、この場合、前記感光体の帯電特性に応じて、前記帯電部材３に印加する振動電圧の正負の極性は適宜変更しても良い。
【００４５】
上述の構成では、前記帯電部材３が芯金３１に導電性のある弾性材料であるエピクロルヒドリンゴム層３２を被覆した帯電ローラであるものを説明したが、ファーブラシ・フェルト・布などの形状・材質のもので構成したものであっても良い。
【００４６】
上述の構成では、前記帯電部材３は前記像担持体２と接触配置されたが、近接配置される構成であっても良い。
【００４７】
上述の構成では、前記電流検出手段４３を前記高圧発生回路４に組み込んだが、前記帯電部材３と前記像担持体２間の前記電流値を検出できる場所に前記電流検出手段４３を設置する構成であればよい。
【００４８】
上述の構成では、前記電流検出手段として前記直流電流検出手段４３を用いて、前記帯電部材３と前記像担持体２間の前記直流電流値Ｉｄｃを検出し、前記直流電流値Ｉｄｃに基づき前記適正ピーク間電圧値Ｖｐｐ（Ｏ）を調整したが、前記電流検出手段として交流電流検出手段を用いて、前記帯電部材３と前記像担持体２間の交流電流値Ｉａｃを検出し、前記交流電流値Ｉａｃに基づき前記適正ピーク間電圧値Ｖｐｐ（Ｏ）を調整する構成であっても良い。
【００４９】
上述の構成では、同一のプリントジョブにおける夫々の前記像担持体の前記画像形成区間で前記適正ピーク間電圧値Ｖｐｐ（Ｏ）を取得したが、同一のプリントジョブにおける最初の前記像担持体の前記画像形成区間で取得した前記適正ピーク間電圧値Ｖｐｐ（Ｏ）を、前記同一のプリントジョブにおける全ての前記像担持体の前記画像形成区間で採用する構成であっても良い。
【００５０】
上述の構成では、前記画像形成区域で印加する前記適性ピーク間電圧値Ｖｐｐ（Ｏ）は、前記環境特性テーブル７１から取得したが、前記ピーク間電圧値Ｖｐｐと前記帯電部材３と前記像担持体２間の直流電流値との関係を表す二次元座標上の想定特性曲線に対して、前記ピーク間電圧値Ｖｐｐを昇圧したときに現れる変曲点の電圧値となる前記基準電圧値を前記適正ピーク間電圧値Ｖｐｐ（Ｏ）として取得する構成としてもよい。
【００５１】
上述の構成では、前記帯電部材３の環境温度・環境湿度・累積使用時間の組合せからなる環境値と、そのときの前記交流電圧の前記適正ピーク間電圧値Ｖｐｐ（Ｏ）を対応付けた前記環境特性テーブル７１を用いたが、前記帯電部材３の環境温度、環境湿度若しくは累積使用時間、または、それらの何れかの組合せからなる環境値と、そのときの前記交流電圧の前記適正ピーク間電圧値Ｖｐｐ（Ｏ）を対応付けた前記環境特性テーブル７１を用いる構成としてもよい。
【００５２】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００５３】
【図１】本発明の実施形態における画像形成装置の一部構成ブロック図
【図２】ピーク間電圧値と直流電流値の関係と変曲点と基準電圧値を説明するグラフ
【図３】ピーク間電圧値と像担持体の帯電電位と振動電圧の直流電圧値の関係と変曲点を説明するグラフ
【図４】ピーク間電圧値と直流電流値と環境値の関係と変曲点と適正ピーク間電圧を説明するグラフ
【図５】画像形成実行の手順の説明に用いるフローチャート
【符号の説明】
【００５４】
１：帯電装置
２：像担持体（感光体ドラム）
３：帯電部材（帯電ローラ）
４：高圧発生回路
５：電圧制御手段
６：環境計測手段
７：記憶部
４１：交流定電圧電源
４２：直流定電圧電源
４３：電流検出手段（直流電流検出手段）
６０：温度センサ
６１：湿度センサ
７１：環境特性テーブル
７２：像担持体の累積使用時間
【図１】
2007199372.tif 000003
【図２】
2007199372.tif 000004
【図３】
2007199372.tif 000005
【図４】
2007199372.tif 000006
【図５】
2007199372.tif 000007